(57)【要約】【課題】複数の電話番号が登録された携帯電話機と通信可能な子機を利用することで、前記携帯電話機に登録されたある電話番号を用いて通話している間に、他の電話番号を用いて通話できる携帯電話システム、当該携帯電話システムを構成する携帯電話機を提供すること。【解決手段】発信処理制御部１１１は、携帯電話機１０に登録された電話番号の１又は複数が通話中に、携帯電話機１０又は子機２０から発信要求があった場合、通話中でない電話番号を用いて発信処理を実行、すなわち、同時通話を確立する。着信処理制御部１１２は、携帯電話機１０に登録された電話番号の１又は複数が通話中に別の着信があった場合、携帯電話機１０及び子機２０に前記着信を報知又は通知すると共に、前記通話中でない電話番号を用いて、通話に使用していない携帯電話機１０又は子機２０による前記別の着信の通話を確立する。【選択図】図２
2008288854.tif 000002
【特許請求の範囲】
【請求項１】
親機を構成する１台の携帯電話機と当該携帯電話機と通信し該携帯電話機を介して電話回線と接続して通話する１台以上の子機を具備し、
前記携帯電話機は、着信又は発信する複数の自局電話番号が登録され、当該電話番号に着信があった場合に当該着信を処理する着信処理制御部を有し、
前記着信処理制御部は、前記電話番号の１又は複数が通話中に別の着信があった場合、前記携帯電話機及び子機に前記着信を報知又は通知すると共に、前記通話中でない前記電話番号を用いて、通話に使用していない携帯電話機又は子機による前記別の着信の通話を確立することを特徴とする携帯電話システム。
【請求項２】
前記別の着信が通話中の電話番号と同じ電話番号であった場合に、当該着信をそれ以外の着信と区別して報知することを特徴とする請求項１に記載の携帯電話システム。
【請求項３】
前記別の着信の通話を確立する電話番号を利用者が選択できることを特徴とする請求項１又は２に記載の携帯電話システム。
【請求項４】
前記別の着信に対し同時に複数の通話をしない設定が可能であることを特徴とする請求項１に記載の携帯電話システム。
【請求項５】
親機を構成する１台の携帯電話機と当該携帯電話機と通信し該携帯電話機を介して電話回線と接続して通話する１台以上の子機を具備し、
前記携帯電話機は、着信又は発信する複数の自局電話番号が登録され、前記携帯電話機又は子機から発信要求があった場合に発信処理を行う発信処理制御部を有し、
前記発信処理制御部は、前記電話番号の１又は複数が通話中に前記携帯電話機又は前記子機から発信要求があった場合、通話中でない前記電話番号を用いて発信処理をすることを特徴とする携帯電話システム。
【請求項６】
複数の通話が同時に確立した場合に、その旨を他の通話に使用している携帯電話機又は子機に通知することを特徴とする請求項１〜５のいずれかに記載の携帯電話システム。
【請求項７】
着信又は発信する複数の自局電話番号が登録され当該電話番号に着信があった場合に当該着信を処理する着信処理制御部と、発信要求があった場合に発信処理を行う発信処理制御部と、子機と接続する通信部を有し、
前記電話番号の１又は複数が通話中に別の着信があった場合、前記着信処理制御部は、前記携帯電話機及び子機に前記着信を報知又は通知すると共に、前記通話中でない前記電話番号を用いて、通話に使用していない携帯電話機又は子機による前記別の着信の通話を確立し、
また、同じく発信要求があった場合、通話中でない前記電話番号を用いて発信処理をすることを特徴とする請求項１〜６のいずれかに記載の携帯電話システムを構成する携帯電話機。
【発明の詳細な説明】
【技術分野】
【０００１】
本発明は、携帯電話機と子機からなる携帯電話システム、特に、１台の携帯電話機で複数の自局電話番号を用いて通話できるように通信事業者等から割り当てられた複数の自局電話番号が登録された携帯電話機と子機からなる携帯電話システム、及び、当該携帯電話機に関する。
【背景技術】
【０００２】
複数の自局電話番号（以下、電話番号と記す）を用いて通話できるように通信事業者等から割り当てられた複数の電話番号が登録された携帯電話機が提案されている。
【０００３】
例えば、特許文献１には、携帯電話機に登録された電話番号毎に、当該電話番号を用いて提供されるサービスと、当該サービスに対する課金方法等を１つの契約セットにして、当該契約セット毎に前記サービスに対する課金処理を実行できる携帯電話機の利用契約システムが開示されている。
【０００４】
また、特許文献２には、携帯電話機に登録された電話番号毎の着信報知処理（着信態様）を、携帯電話機の現在位置に応じて変化させる技術が開示されている。
【特許文献１】特開２００３−１８９０１３号公報
【特許文献２】特開２００５−２０４１５３号公報
【発明の開示】
【発明が解決しようとする課題】
【０００５】
しかし、特許文献１、特許文献２には、複数の電話番号が登録された携帯電話機において、当該携帯電話機に登録された複数の電話番号を用いて同時に通話すること、つまり、携帯電話機に登録された複数の電話番号のうち、ある電話番号を用いて通話している間に、他の電話番号を用いて通話することは開示されていない。
【０００６】
携帯電話機に登録された一つの電話番号を用いて通話している間に、他の電話番号を用いて通話できれば、利用者の利便性は大きく向上することは明らかである。
【０００７】
本発明は、かかる実情に鑑みてなされたものであり、複数の電話番号が登録された携帯電話機と通信可能な子機を利用することで、前記携帯電話機に登録されたある電話番号を用いて通話している間に、他の電話番号を用いて通話できる携帯電話システム、当該携帯電話システムを構成する携帯電話機を提供することを目的とする。
【課題を解決するための手段】
【０００８】
第１の技術手段は、親機を構成する１台の携帯電話機と当該携帯電話機と通信し該携帯電話機を介して電話回線と接続して通話する１台以上の子機を具備し、前記携帯電話機は、着信又は発信する複数の自局電話番号が登録され、当該電話番号に着信があった場合に当該着信を処理する着信処理制御部を有し、前記着信処理制御部は、前記電話番号の１又は複数が通話中に別の着信があった場合、前記携帯電話機及び子機に前記着信を報知又は通知すると共に、前記通話中でない前記電話番号を用いて、通話に使用していない携帯電話機又は子機による前記別の着信の通話を確立することを特徴とする携帯電話システムである。
【０００９】
第２の技術手段は、第１の技術手段の携帯電話システムにおいて、前記別の着信が通話中の電話番号と同じ電話番号であった場合に、当該着信をそれ以外の着信と区別して報知することを特徴とするものである。
【００１０】
第３の技術手段は、第１又は第２の技術手段の携帯電話システムにおいて、前記別の着信の通話を確立する電話番号を利用者が選択できることを特徴とするものである。
【００１１】
第４の技術手段は、第１の技術手段の携帯電話システムにおいて、前記別の着信に対し同時に複数の通話をしない設定が可能であることを特徴とするものである。
【００１２】
第５の技術手段は、親機を構成する１台の携帯電話機と当該携帯電話機と通信し該携帯電話機を介して電話回線と接続して通話する１台以上の子機を具備し、前記携帯電話機は、着信又は発信する複数の自局電話番号が登録され、前記携帯電話機又は子機から発信要求があった場合に発信処理を行う発信処理制御部を有し、前記発信処理制御部は、前記電話番号の１又は複数が通話中に前記携帯電話機又は前記子機から発信要求があった場合、通話中でない前記電話番号を用いて発信処理をすることを特徴とする携帯電話システムである。
【００１３】
第６の技術手段は、第１〜第５のいずれかの技術手段の携帯電話システムにおいて、複数の通話が同時に確立した場合に、その旨を他の通話に使用している携帯電話機又は子機に通知することを特徴とするものである。
【００１４】
第７の技術手段は、第１〜第６のいずれかの技術手段の携帯電話システムを構成する携帯電話機であって、着信又は発信する複数の自局電話番号が登録され当該電話番号に着信があった場合に当該着信を処理する着信処理制御部と、発信要求があった場合に発信処理を行う発信処理制御部と、子機と接続する通信部を有し、前記電話番号の１又は複数が通話中に別の着信があった場合、前記着信処理制御部は、前記携帯電話機及び子機に前記着信を報知又は通知すると共に、前記通話中でない前記電話番号を用いて、通話に使用していない携帯電話機又は子機による前記別の着信の通話を確立し、また、同じく発信要求があった場合、通話中でない前記電話番号を用いて発信処理をすることを特徴とするものである。
【発明の効果】
【００１５】
本発明により、１つの電話番号を用いて通話処理を実行しても、同時に、他の電話番号を用いて通話処理が可能になるので、利用者の利便性が向上する。
また、携帯電話機の価格に比べて低価格の携帯電話機の子機を使用して通話することができるので、購入費用、維持費用等が削減できる。
【発明を実施するための最良の形態】
【００１６】
図１は、携帯電話機システムの概略図である。
１は、携帯電話システムであり、携帯電話システム１は、複数の電話番号を用いて通話をすることができるように通信事業者等から割り当てられた複数の電話番号が登録された、親機を構成する１台の携帯電話機１０、当該携帯電話機１０と通信し該携帯電話機１０を介して電話回線と接続して通話する１台以上の子機２０…子機２５…から構成される。
携帯電話機１０と子機２０等とは、例えば、ブルートゥース（Ｂｌｕｅｔｏｏｔｈ）により接続される。
２は、携帯電話機１０の基地局である。
【００１７】
利用者は、携帯電話機１０を使用して他の電話機の利用者と通話することもできるし、携帯電話機１０を介して子機２０等を使用しても通話することができる。
また、ある利用者が携帯電話機１０を使用して通話している間に、他の利用者は子機２０等を使用して通話することができる。なお、子機２０等は、電話の発信及び着信機能を有さないので、通話する場合には、携帯電話機１０を介し、その発信及び着信機能を利用する。
【００１８】
図２は、携帯電話機１０及び子機２０のブロック図である。
携帯電話機１０には、通信事業者等から割り当てられた複数の電話番号、例えば、電話番号Ａ、電話番号Ｂが登録されているものとする。
なお、説明のため、携帯電話機１０と接続している子機は１台としているが、図１のように複数台が接続していても同様である。
【００１９】
（携帯電話機１０）
１０１は、液晶パネル等から構成される表示部である。
１０２は、携帯電話機１０を操作する操作部である。操作部１０２は、電話番号を入力するテンキー、発信操作を行う発信キー、着信操作を行う着信キー等から構成されている。
１０３は、マイク、１０４は、スピーカである。
【００２０】
１０５は、子機２０と通信するための通信部であり、近距離無線通信機能、例えばブルートゥース等の無指向性通信により子機２０と通信し、各種信号（データ）を送受信する。
【００２１】
携帯電話機能部１０６は、携帯電話機１０に登録された電話番号Ａ又は電話番号Ｂを用いて、発信／着信処理、通話処理を行う。
より詳細に説明すると、携帯電話機能部１０６は、後述の発信処理制御部１１１で指定された通話中でない電話番号（電話番号Ａ又は電話番号Ｂ）を用いて、発信先の電話番号に対して発信処理を行う。また、他の電話機等から電話番号Ａ又は電話番号Ｂに対して着信があった場合、その旨を示す着信信号を後述の着信処理制御部１１２に出力する。
【００２２】
また、携帯電話機能部１０６は、携帯電話機が一般的に有している機能、例えば、ＴＶ電話、電子メール、ブラウザ機能も実行することができる。
【００２３】
発信処理制御部１１１で実行する発信要求処理、及び、同時通話処理について説明する。
（発信要求処理）
携帯電話機１０の利用者が、操作部１０２を操作し、発信先の電話番号を入力し、発信キーを押すと、発信処理制御部１１１は、入力された発信先の電話番号と共に通話中でない電話番号を指定して、携帯電話機能部１０６に発信処理を実行するように要求する。
発信要求を受けた携帯電話機能部１０６は、それに応じて発信処理を実行する。
また、後述するように、子機２０が発信処理の要求をした場合も同様である。
【００２４】
（同時通話処理）
また、発信処理制御部１１１は、携帯電話機１０に登録された電話番号の１又は複数が通話中に、携帯電話機１０又は子機２０から発信要求があった場合、通話中でない電話番号を用いて発信処理を実行、すなわち、同時通話を確立する。
【００２５】
この同時通話処理を、例えば、電話番号Ａにより子機２０を使用して通話している間に、電話番号Ｂにより携帯電話機１０を使用して発信操作（発信要求）を行う場合を例に取り説明する。
【００２６】
利用者が、通話に使用されていない携帯電話機１０の操作部１０２を操作して、前述の発信操作を実行すると、発信処理制御部１１１は、入力された発信先の電話番号と共に通話中でない電話番号Ｂを指定して、携帯電話機能部１０６に発信要求をする。以後、前述と同じ、発信処理が行われ同時通話が確立する。電話番号Ｂを用いて通話している場合も同様である。
【００２７】
次に、着信処理制御部１１２で実行される着信処理、及び、同時通話処理について説明する。
（着信処理）
着信処理制御部１１２は、携帯電話機１０に登録された電話番号の１又は複数に着信があった場合、携帯電話機１０及び子機２０に前記着信を報知又は通知する。
より詳細に説明すると、登録された電話番号（電話番号Ａ又は電話番号Ｂ）に着信があった場合に当該着信を処理、すなわち、携帯電話機能部１０６が出力する着信信号を受けて、リンガ音を鳴らす等の着信報知処理を実行する。
【００２８】
同時に、前記着信信号を、通信部１０５に出力し、通信部１０５は、当該着信信号を、後述の子機２０の通信部２０５に送信する（子機２０に対する着信通知）。
子機２０の通信部２０５は、受信した着信信号を、後述の通話処理制御部２１１に出力し、当該着信信号を受信した通話処理制御部２１１は、着信報知処理を実行する。
【００２９】
（同時通話処理）
着信処理制御部１１２は、携帯電話機１０に登録された電話番号の１又は複数が通話中に別の着信があった場合、前述のように、携帯電話機１０及び子機２０に前記着信を報知又は通知すると共に、前記通話中でない電話番号を用いて、通話に使用していない携帯電話機１０又は子機２０による前記別の着信の通話を確立、すなわち、同時通話を確立する。
【００３０】
この同時通話処理を、電話番号Ａにより子機２０を使用して通話している間に、他の電話機から着信があり、当該着信を受け通話する場合を例に取り説明する。
当該着信により携帯電話機能部１０６が出力した着信信号を受けた着信処理制御部１１２は、前述のように、携帯電話機１０にて着信報知処理を実行する。同時に、子機２０、他の子機、例えば、図１の子機２５に前記着信を通知し、子機２０等は、着信報知処理を実行する。
【００３１】
前記報知を受けた利用者が、携帯電話機１０の操作部１０２の着信キーを押すと、同時通話が確立する。
子機２５の操作部の着信キーを押した場合にも同時通話が確立する。
なお、子機２０の操作部２０２の着信キーを押した場合にも、同時通話が確立するが、この場合には、子機２０にて通話している会話を保留にすることになる。
【００３２】
メモリ１１３には、携帯電話機１０に登録された電話番号（図では、電話番号Ａ、電話番号Ｂ）、携帯電話機１０と接続状態にある子機２０の識別番号（図では、子機Ｘ）、制御情報等が記憶されている。
制御部１０７は、各機能ブロックを制御する。
【００３３】
（子機２０）
２０１は、液晶パネル等から構成される表示部である。
２０２は、子機２０を操作する操作部である。操作部２０２は、電話番号を入力するテンキー、携帯電話機１０に発信要求を行う発信キー、着信を受ける着信キー等から構成されている。
２０３は、マイク、２０４は、スピーカである。
【００３４】
通信部２０５は、携帯電話機１０の通信部１０５と同様の、近距離無線通信機能、例えばブルートゥース（Ｂｌｕｅｔｏｏｔｈ）等の無指向性通信機能を有し、携帯電話機１０と通信する。
【００３５】
通話処理制御部２１１は、前述した、携帯電話機１０からの着信信号を受信すると、リンガ音を鳴らす等の着信報知処理の制御等、携帯電話機１０を介して行う通話処理を制御する。
【００３６】
また、同制御部２１１が有する発信処理要求部２１１ａは、前述したように、携帯電話機１０に対する発信要求を行う。
発信処理要求部２１１ａは、携帯電話機１０に対し他の電話機に対する発信処理を実行するように要求する要求信号を、通信部２０５に出力する。通信部２０５は、受信した要求信号を、携帯電話機１０の通信部１０５に送信する。
【００３７】
携帯電話機１０の通信部１０５は、受信した要求信号を、同発信処理制御部１１１に出力する。それに応じて発信処理制御部１１１は、前述のように、通話中でない電話番号で、携帯電話機能部１０６に発信処理を実行するように指示する。
【００３８】
メモリ２１２には、子機２０と同通信部２０５を介して接続状態にある携帯電話機１０の識別番号（図では、携帯電話機Ｙ）、制御情報等が記憶されている。
制御部２０６は、各機能ブロックを制御する。
【００３９】
次に、発信処理について図３のフロー図を用いて説明する。
以下の説明では、電話番号Ａにより子機２０を使用して通話していることを前提に説明する。
【００４０】
ステップＳ１で、利用者が、携帯電話機１０を使用して通話するのか又は他の子機、例えば、図１の子機２５を使用して通話するのかを選択する。
携帯電話機１０を使用して通話する場合（ステップＳ１：携帯電話機を使用して通話）、ステップＳ２で、利用者は、携帯電話機１０の操作部１０２を操作して、発信先の電話番号を入力し、発信キーを押す。
【００４１】
携帯電話機能部１０６が、通話中でない電話番号Ｂを用いて、発信処理を実行し（ステップＳ３）、以後、同時通話が確立し、携帯電話機１０を使用して通話する（ステップＳ４）。
【００４２】
他の子機２５を使用して通話する場合（ステップＳ１：他の子機を使用して通話）、ステップＳ５で、利用者は、他の子機２５の操作部のテンキーを操作して、発信先の電話番号を入力し、発信キーを押す。
なお、子機２０を使用して通話する場合にも、同時通話が確立するが、この場合には、子機２０にて通話している会話を保留にすることになる。
【００４３】
他の子機２５の発信処理要求部（子機２０の発信処理要求部２１１ａに相当）は、携帯電話機１０に対して発信処理を実行するように要求する（ステップＳ６）。当該要求を受けた携帯電話機１０の携帯電話機能部１０６が、通話中でない電話番号Ｂを用いて、発信処理を実行すると（ステップＳ７）、同時通話が確立し、他の子機２５を使用して通話する（ステップＳ８）。
【００４４】
電話番号Ａにより携帯電話機１０を使用して通話している間に、電話番号Ｂにより子機２０等を使用して同時通話を行う場合には、ステップＳ５〜ステップＳ８の処理を実行すればよい。
【００４５】
登録されたすべての電話番号が通話中の場合には、携帯電話機１０又は子機２０等の発信キーを押しても、発信できない旨が、携帯電話機１０又は子機２０等の表示部に表示され、発信処理は実行されない。
【００４６】
なお、複数の通話が同時に確立した場合には、発信処理制御部１１１は、その旨を、通話中の携帯電話機１０、子機２０等に通知することもできる。
そのため、通話中の利用者は、他の電話番号に着信があり当該着信に基づき通話が確立したことを知ることができるので、利用者の利便性が向上する。
【００４７】
次に、着信処理について図４のフロー図を用いて説明する。
以下の説明では、電話番号Ａにより子機２０を使用して通話している間に、電話番号Ｂに対して他の着信があった場合を前提に説明する。
【００４８】
ステップＳ１１で、携帯電話機能部１０６は、電話番号Ｂで着信する。
次に、着信処理制御部１１２が、例えば、着信報知音（リンガ音）をスピーカ１０４から出力し、着信報知処理を実行する（ステップＳ１２）。
【００４９】
同時に、着信処理制御部１１２は、他の子機２５等に着信があったことを通知する（ステップＳ１３）。
当該通知を受けた他の子機２５の通話処理制御部（子機２０の通話処理制御部２１１にに相当）は、着信報知処理を実行する（ステップＳ１４）。
【００５０】
なお、前述の携帯電話機１０、他の子機２５等で実行される着信報知処理は、スピーカからの音声出力だけでなく、表示部に着信があったことを示すアイコンを表示したり、図示しない、バイブレータを振動させたりしてもよい。
【００５１】
次に、ステップＳ１５で、利用者が、携帯電話機１０を使用して通話するのか、又は、他の子機２５を使用して通話するのかを選択する。
利用者が、携帯電話機１０を使用して通話する場合には（ステップＳ１５：携帯電話機を使用して通話）、携帯電話機１０の操作部１０２の着信キーを押せば（ステップＳ１６）、同時通話が確立し、携帯電話機１０で通話できる（ステップＳ１７）。
【００５２】
利用者が、他の子機２５を使用して通話する場合には（ステップＳ１５：他の子機を使用して通話）、他の子機２５の着信キーを押せば、（ステップＳ１８）、同時通話が確立し、他の子機２５で通話できる（ステップＳ１９）。
なお、子機２０を使用して通話する場合にも、同時通話が確立するが、この場合には、子機２０にて通話している会話を保留にすることになる。
【００５３】
また、通話中の電話番号Ａに着信があった場合には、携帯電話機１０の着信処理制御部１１２は、別の着信の通話を確立する電話番号、すなわち、空いている電話番号Ｂに着信を自動的に転送する。また、転送先の電話番号を利用者が選択できるように設定することもできる。さらに、転送を実行するか否かを利用者が選択できるようにしてもよい。
このように、転送処理を実行することで、空いている電話番号を効率的に使用できるので、利用者の利便性が向上する。
【００５４】
次に、利用者の利便性をより向上させた携帯電話機１０、子機２０について説明する。
その一例として、携帯電話機１０の着信処理制御部１１２、子機２０の通話処理制御部２１１は、前述した着信報知処理を、他の電話機から発信された電話番号（着信が要求された電話番号）に応じて変化させることもできる。
【００５５】
例えば、図５の着信処理実行テーブル５１に示すように、電話番号Ａに対して発信された場合には、着信報知処理として、パターンＡ（例えば、１秒間隔でリンガ音を鳴らす）の着信報知処理を実行する。電話番号Ｂに対して発信された場合には、着信報知処理として、パターンＢ（例えば、２秒間隔でリンガ音を鳴らす）の着信報知処理を実行する。
このようにすることで、利用者は、例えば、リンガ音を聞くだけで、発信対象の電話番号を知ることができるので、利便性が向上する。
【００５６】
なお、前記テーブル５１は、携帯電話機１０のメモリ１１３、子機２０のメモリ２１２に記憶されており、着信処理実行時に、携帯電話機１０の着信処理制御部１１２、子機２０の通話処理制御部２１１により参照され、前記テーブルに基づいた処理が実行される。
【００５７】
また、携帯電話機１０の着信処理制御部１１２、子機２０の通話処理制御部２１１は、電話番号Ａを用いて通話している間に、別の着信が当該電話番号Ａにあった場合、つまり、別の着信が通話中の電話番号と同じ電話番号であった場合に、当該別の着信をそれ以外の着信と区別して報知してもよい。
このようにすることで、利用者は、例えば、リンガ音を聞くだけで、通話中の電話番号に着信があったことを知ることができるので、利用者の利便性が向上する。
【００５８】
さらに、携帯電話機１０の着信処理制御部１１２は、前記別の着信に対し同時に複数の通話をしないよう設定することもできる。このようにすることで、通話者以外に、前記別の着信に応答できる者がいなくても、通話者は、新しく着信した相手と通話することができる（キャッチホン）。
【００５９】
また、例えば、携帯電話機１０を使用して通話している間に、子機２０を使用して同時に通話をする場合には、その旨を携帯電話機１０の利用者に対して報知してもよい。
このようにすることで、同時通話が開始されたことを通話者が知ることができる。
【００６０】
他にも、電話番号の通話状況に応じて、着信報知処理を変更できるようにしてもよく、着信報知処理のパターンを利用者が変更できるようにしてもよい。
【００６１】
また、前述したように、携帯電話機１０の携帯電話機能部１０６は、ＴＶ電話機能をも有することができ、かかるＴＶ電話機能を利用する場合には、通話に使用する電話番号と当該電話番号を用いる通話種別、すなわち、音声通話かテレビ電話かに応じて、着信するか否かを決定することができる。
【００６２】
例えば、図６の決定テーブル５２の符号５２ａに示すように、電話番号Ａにて音声通話をしている間に、電話番号Ｂに他の電話機からの発信があり、当該電話番号Ｂを用いる通話種別が、音声通話の場合には、着信を許可する（図中○）。また、ＴＶ電話の場合には、着信を拒否する（図中×）。
このようにすることで、利用者の利便性が向上する。
【００６３】
なお、前記テーブル５２は、携帯電話機１０のメモリ１１３、子機２０のメモリ２１２に記憶され、着信時に参照されることは、前述の場合と同様である。また、利用者は、前記テーブル５２の内容を自由に変更することができる。
【図面の簡単な説明】
【００６４】
【図１】携帯電話機システムの概略図である。
【図２】携帯電話機及び子機のブロック図である。
【図３】発信処理を説明するためのフロー図である。
【図４】着信処理を説明するためのフロー図である。
【図５】着信処理実行テーブルを示した図である。
【図６】決定テーブルを示した図である。
【符号の説明】
【００６５】
１…携帯電話システム、２…基地局、１０…携帯電話機、１０１…表示部、１０２…操作部、１０３…マイク、１０４…スピーカ、１０５…通信部、１０６…携帯電話機能部、１０７…制御部、１１１…発信処理制御部、１１２…着信処理制御部、１１３…メモリ、２０，２５…子機、２０１…表示部、２０２…操作部、２０３…マイク、２０４…スピーカ、２０５…通信部、２０６…制御部、２１１…通話処理制御部、２１１ａ…発信処理要求部、２１２…メモリ、５１…着信処理実行テーブル、５２…決定テーブル。
【図１】
2008288854.tif 000003
【図２】
2008288854.tif 000004
【図３】
2008288854.tif 000005
【図４】
2008288854.tif 000006
【図５】
2008288854.tif 000007
【図６】
2008288854.tif 000008